【手続補正書】
【提出日】平成22年8月30日(2010.8.30)
【手続補正１】
【補正対象書類名】明細書
【補正対象項目名】００３７
【補正方法】変更
【補正の内容】
【００３７】
さらに詳しく言うと、Ｈ．２６４符号化では、予測符号化によって時間的冗長性が減少する。変換の符号化効率は、予測誤差の相関に高度に依存する。予測誤差が相関する場合、変換の符号化効率は良好になり、そうでない場合良好にならない。漫画アニメーションの場合、あるオブジェクトおよび／または背景について予測誤差が高度に相関せず、Ｈ．２６４が不十分にしか機能しないことは珍しくない。したがって、各ブロックはＤＣＴまたは非変換のうちの最も効率的なモードで符号化される。
【手続補正２】
【補正対象書類名】特許請求の範囲
【補正対象項目名】全文
【補正方法】変更
【補正の内容】
【特許請求の範囲】
【請求項１】
アニメーションまたは漫画アニメーションのコンテンツの映像の符号化に特化した、映像シーケンスを符号化するためのシステムであって、前記システムが、
一連の映像フレームから動くオブジェクトを除去し、複数の順次的な映像フレームで使用される静止した背景についての背景定義を生成する背景分析部と、
映像ストリーム中に含まれる色を分析し、前記映像ストリーム中で発生する色の主要色リストを作成する色クラスタリング部と、
一連の映像フレーム中での位置および回転姿勢以外は前記一連の映像フレーム中で一定である１つ以上のオブジェクトを識別するオブジェクト識別部と、
複数の符号化技術の各々によって達成される圧縮効率に応じた前記複数の符号化技術のうち１つにしたがって映像シーケンスから導出された背景およびオブジェクトを符号化するハイブリッドエンコーダとを備えるシステム。
【請求項２】
アニメーションまたは漫画アニメーションのコンテンツの映像の符号化に特化した、映像シーケンスを符号化するためのシステムであって、前記システムが、
色がわずかに違うだけの、１つの映像フレームの複数の領域の色のわずかな違いを除去することによって前記１つの映像フレームのノイズを減らす映像フレーム内プリプロセッサと、
一連の映像フレームから動くオブジェクトを除去し、複数の順次的な映像フレームで使用される静止した背景についての背景定義を生成する背景分析部と、
映像ストリーム中に含まれる色を分析し、前記映像ストリーム中で発生する色の主要色リストを作成する色クラスタリング部と、
一連の映像フレーム中での位置および回転姿勢以外は前記一連の映像フレーム中で一定である１つ以上のオブジェクトを識別するオブジェクト識別部と、
複数の符号化技術の各々によって達成される圧縮効率に応じた前記複数の符号化技術のうち１つにしたがって映像シーケンスから導出された背景およびオブジェクトを符号化するハイブリッドエンコーダとを備えるシステム。
【請求項３】
アニメーションまたは漫画アニメーションのコンテンツの映像の符号化に特化した、映像シーケンスを符号化するためのシステムであって、前記システムが、
色がわずかに違うだけの、連続する映像フレームの同じ部分の色のわずかな違いを除去することによって連続する映像フレームのノイズを減らす映像フレーム間プリプロセッサと、
一連の映像フレームから動くオブジェクトを除去し、複数の順次的な映像フレームで使用される静止した背景についての背景定義を生成する背景分析部と、
映像ストリーム中に含まれる色を分析し、前記映像ストリーム中で発生する色の主要色リストを作成する色クラスタリング部と、
一連の映像フレーム中での位置および回転姿勢以外は前記一連の映像フレーム中で一定である１つ以上のオブジェクトを識別するオブジェクト識別部と、
複数の符号化技術の各々によって達成される圧縮効率に応じた前記複数の符号化技術のうち１つにしたがって映像シーケンスから導出された背景およびオブジェクトを符号化するハイブリッドエンコーダとを備えるシステム。
【請求項４】
アニメーションまたは漫画アニメーションのコンテンツの映像の符号化に特化した、映像シーケンスを符号化するためのシステムであって、前記システムが、
一連の映像フレームから動くオブジェクトを除去し、複数の順次的な映像フレームで使用される静止した背景についての背景定義を生成する背景分析部と、
映像ストリーム中に含まれる色を分析し、前記映像ストリーム中で発生する色の主要色リストを作成する色クラスタリング部と、
一連の映像フレーム中での位置および回転姿勢以外は前記一連の映像フレーム中で一定である１つ以上のオブジェクトを識別するオブジェクト識別部と、
複数の符号化技術の各々によって達成される圧縮効率に応じた前記複数の符号化技術のうち１つにしたがって映像シーケンスから導出された背景およびオブジェクトを符号化し、そのマクロブロックに対する最小可知歪み以下である動き補償歪みを有するマクロブロックの変換符号化をスキップするハイブリッドエンコーダとを備えるシステム。
【請求項５】
アニメーションまたは漫画アニメーションのコンテンツの映像の符号化に特化した、映像シーケンスを符号化するためのシステムであって、前記システムが、
一連の映像フレームから動くオブジェクトを除去し、複数の順次的な映像フレームで使用される静止した背景についての背景定義を生成する背景分析部と、
映像ストリーム中に含まれる色を分析し、前記映像ストリーム中で発生する色の主要色リストを作成する色クラスタリング部と、
一連の映像フレーム中での位置および回転姿勢以外は前記一連の映像フレーム中で一定である１つ以上のオブジェクトを識別するオブジェクト識別部と、
複数の符号化技術の各々によって達成される圧縮効率に応じた前記複数の符号化技術のうち１つにしたがって映像シーケンスから導出された背景およびオブジェクトを符号化するハイブリッドエンコーダとを備え、前記ハイブリッドエンコーダは、映像フレームのブロックにおけるＪＮＤ（最小弁別歪）残余を識別し、識別されたＪＮＤ残余をブロックが符号化される前に除去する残余プロセッサを備えるシステム。
【請求項６】
アニメーションまたは漫画アニメーションのコンテンツの映像の符号化に特化した、映像シーケンスを符号化するためのシステムであって、前記システムが、
一連の映像フレームから動くオブジェクトを除去し、複数の順次的な映像フレームで使用される静止した背景についての背景定義を生成する背景分析部と、
映像ストリーム中に含まれる色を分析し、前記映像ストリーム中で発生する色の主要色リストを作成する色クラスタリング部と、
一連の映像フレーム中での位置および回転姿勢以外は前記一連の映像フレーム中で一定である１つ以上のオブジェクトを識別するオブジェクト識別部と、
複数の符号化技術の各々によって達成される圧縮効率に応じた前記複数の符号化技術のうち１つにしたがって映像シーケンスから導出された背景およびオブジェクトを符号化するハイブリッドエンコーダとを備え、
前記複数の符号化技術はＤＣＴ符号化と非変換符号化を含み、前記複数の符号化技術の各々によって達成される前記圧縮効率は前記複数の符号化技術の各々の予測誤差の相関を用いて決定されるシステム。
【請求項７】
アニメーションまたは漫画アニメーションのコンテンツの映像の符号化に特化した、映像シーケンスを符号化するための方法であって、前記方法が、
一連の映像フレームから動くオブジェクトを除去し、複数の順次的な映像フレームで使用される静止した背景についての背景定義を生成し、
映像ストリーム中に含まれる色を分析し、前記映像ストリーム中で発生する色の主要色リストを作成し、
一連の映像フレーム中での位置および回転姿勢以外は前記一連の映像フレーム中で一定である１つ以上のオブジェクトを識別し、
複数の符号化技術の各々によって達成される圧縮に応じて前記複数の符号化技術のうち１つにしたがって映像シーケンスから導出された背景およびオブジェクトを符号化することとを備える方法。
【請求項８】
アニメーションまたは漫画アニメーションのコンテンツの映像の符号化に特化した、映像シーケンスを符号化するための方法であって、前記方法が、
色がわずかに違うだけの、１つの映像フレームの複数の領域の色のわずかな違いを除去することによって映像フレームを前処理してノイズを減らし、
一連の映像フレームから動くオブジェクトを除去し、複数の順次的な映像フレームで使用される静止した背景についての背景定義を生成し、
映像ストリーム中に含まれる色を分析し、前記映像ストリーム中で発生する色の主要色リストを作成し、
一連の映像フレーム中での位置および回転姿勢以外は前記一連の映像フレーム中で一定である１つ以上のオブジェクトを識別し、
複数の符号化技術の各々によって達成される圧縮効率に応じた前記複数の符号化技術のうち１つにしたがって映像シーケンスから導出された背景およびオブジェクトを符号化することとを備える方法。
【請求項９】
アニメーションまたは漫画アニメーションのコンテンツの映像の符号化に特化した、映像シーケンスを符号化するための方法であって、前記方法が、
色がわずかに違うだけの、連続する映像フレームの同じ部分の色のわずかな違いを除去することによって映像フレームを前処理してノイズを減らし、
一連の映像フレームから動くオブジェクトを除去し、複数の順次的な映像フレームで使用される静止した背景についての背景定義を生成し、
映像ストリーム中に含まれる色を分析し、前記映像ストリーム中で発生する色の主要色リストを作成し、
一連の映像フレーム中での位置および回転姿勢以外は前記一連の映像フレーム中で一定である１つ以上のオブジェクトを識別し、
複数の符号化技術の各々によって達成される圧縮効率に応じた前記複数の符号化技術のうち１つにしたがって映像シーケンスから導出された背景およびオブジェクトを符号化することとを備える方法。
【請求項１０】
アニメーションまたは漫画アニメーションのコンテンツの映像の符号化に特化した、映像シーケンスを符号化するための方法であって、前記方法が、
一連の映像フレームから動くオブジェクトを除去し、複数の順次的な映像フレームで使用される静止した背景についての背景定義を生成し、
映像ストリーム中に含まれる色を分析し、前記映像ストリーム中で発生する色の主要色リストを作成し、
一連の映像フレーム中での位置および回転姿勢以外は前記一連の映像フレーム中で一定である１つ以上のオブジェクトを識別し、
複数の符号化技術の各々によって達成される圧縮効率に応じた前記複数の符号化技術のうち１つにしたがって映像シーケンスから導出された背景およびオブジェクトを符号化し、
そのマクロブロックに対する最小可知歪み以下である動き補償歪みを有するマクロブロックの変換符号化をスキップすることとを備える方法。
【請求項１１】
アニメーションまたは漫画アニメーションのコンテンツの映像の符号化に特化した、映像シーケンスを符号化するための方法であって、前記方法が、
一連の映像フレームから動くオブジェクトを除去し、複数の順次的な映像フレームで使用される静止した背景についての背景定義を生成し、
映像ストリーム中に含まれる色を分析し、前記映像ストリーム中で発生する色の主要色リストを作成し、
一連の映像フレーム中での位置および回転姿勢以外は前記一連の映像フレーム中で一定である１つ以上のオブジェクトを識別し、
映像フレームのブロックにおけるＪＮＤ（最小弁別歪）残余を識別し、識別されたＪＮＤ残余をブロックが符号化される前に除去し、
複数の符号化技術の各々によって達成される圧縮効率に応じた前記複数の符号化技術のうち１つにしたがって映像シーケンスから導出された背景およびオブジェクトを符号化することとを備える方法。
【請求項１２】
アニメーションまたは漫画アニメーションのコンテンツの映像の符号化に特化した、映像シーケンスを符号化するための方法であって、前記方法が、
一連の映像フレームから動くオブジェクトを除去し、複数の順次的な映像フレームで使用される静止した背景についての背景定義を生成し、
映像ストリーム中に含まれる色を分析し、前記映像ストリーム中で発生する色の主要色リストを作成し、
一連の映像フレーム中での位置および回転姿勢以外は前記一連の映像フレーム中で一定である１つ以上のオブジェクトを識別し、
複数の符号化技術の各々によって達成される圧縮効率に応じた前記複数の符号化技術のうち１つにしたがって映像シーケンスから導出された背景およびオブジェクトを符号化することであって、前記複数の符号化技術はＤＣＴ符号化と非変換符号化を含み、前記複数の符号化技術の各々によって達成される前記圧縮効率は前記複数の符号化技術の各々の予測誤差の相関を用いて決定されることとを備える方法。